(57)【要約】      （修正有）【課題】容易に巻曲げし、ケース上面などに平設することができるCDラベルアプリケーターを提供する。【解決手段】CDラベルアプリケーターは下板と上板を連結してなる。下板中央はCDを放置できる円形凹部を有し、下板の周辺の適当な位置に三個の柱が形成される。上板中央は一層の環状の除去可能な接着剤を貼付する。上板の周辺の適当な位置に三個の孔を形成する。上板が下板を被覆する時、環状の除去可能な接着剤が丁度円形凹部に適合し、三個の孔がそれぞれ三個の柱に対応する。本考案は、CDラベル用紙を提供し、辺縁の適当な位置に三個のノッチを形成し、CDラベルアプリケーターの下板の三個の柱と適合する。【選択図】図２
0003136572.tif 000002
【実用新案登録請求の範囲】
【請求項１】
CDラベルアプリケーターであって、下板と上板を連結してなり、前記下板中央はCDを放置できる円形凹部を有し、前記上板中央は一層の環状の除去可能な接着剤を貼付し、前記上板が下板を被覆する時、前記環状の除去可能な接着剤が丁度前記円形凹部に適合することを特徴とするCDラベルアプリケーター。
【請求項２】
前記下板の周辺の適当な位置に三個の柱が形成され、前記上板の周辺の適当な位置に三個の孔を形成し、前記上板が前記下板を被覆する時、前記三個の孔がそれぞれ三個の柱に対応することを特徴とする請求項１に記載のCDラベルアプリケーター。
【請求項３】
CDラベル用紙であって、上面はCDラベルを貼付し、但し、前記CDラベルと前記CDラベル用紙は剥離することもでき、前記CDラベル用紙の辺縁の適当な位置に三個のノッチを形成し、CDラベルアプリケーターの下板の三個の柱とそれぞれ適合することを特徴とするCDラベル用紙。
【考案の詳細な説明】
【技術分野】
【０００１】
本考案は、CDラベルアプリケーターとCDラベル用紙に関するものであって、特に、環状の除去可能な接着剤を塗布するCDラベルアプリケーターと照準のためのノッチを有するCDラベル用紙に関するものである。
【背景技術】
【０００２】
公知のCDラベルアプリケーターは図１で示されるように、円形ケース１は上面に押圧可能素子１１を装着し、押圧可能素子１１を押圧する時、円形ケース１中に陥入する。円形ケース１の面積はCDの円面積と相同である。
【０００３】
CDラベル２をCD３に貼る時、まず、CDラベル２中間のホール２１に押圧可能素子１１を配置し、CDラベル２を円形ケース１上面に平置し、CDラベル２は粘着面２２を上にする。その後、CD３中間のホール３１に押圧可能素子１１の頂端部位１２を配置し、押圧可能素子１１の頂端部位１２が円形ケース１中に陥入し、CD３とCDラベル２の粘着面２２が貼設し、CD３を取り外すと、CDラベルの貼設が完成する。
【０００４】
しかし、この種のCDラベルアプリケーターはCDラベル２を円形ケース１上面に放置する時不便で、接着するCDラベル２が手にくっついたり、接着するCDラベル２が容易に巻曲し、円形ケース１上面に平設することが困難であり、よって、CD３とCDラベル２の接着面２２を相互に貼るのは非常に難しい。
【考案の開示】
【考案が解決しようとする課題】
【０００５】
本考案は、上述の問題を改善するCDラベルアプリケーターとCDラベル用紙を提供することを目的とする。
【課題を解決するための手段】
【０００６】
本考案は、CDラベルアプリケーターを提供し、下板と上板を連結してなる。下板中央はCDを放置できる円形凹部を有し、下板の周辺の適当な位置に三個の柱が形成される。上板中央は一層の環状の除去可能な接着剤を貼付する。上板の周辺の適当な位置に三個の孔を形成する。上板が下板を被覆する時、環状の除去可能な接着剤が丁度円形凹部に適合し、三個の孔がそれぞれ三個の柱に対応する。
【０００７】
本考案はCDラベル用紙を提供し、CDラベルは、CDラベル上の一層の接着剤によりCDラベル用紙に貼付され、但し、CDラベルとCDラベル用紙は剥離することもできる。CDラベル用紙の辺縁の適当な位置に三個のノッチを形成し、CDラベルアプリケーターの下板の三個の柱とそれぞれ適合する。
【考案の効果】
【０００８】
公知のCDラベルアプリケーターの問題を排除するような、環状の除去可能な接着剤を塗布するCDラベルアプリケーターと照準のためのノッチを有するCDラベル用紙が提供される。
【考案を実施するための最良の形態】
【０００９】
図２は本考案のCDラベルアプリケーター４を示す図で、本考案のCDラベルアプリケーター４は、二つの方形の薄板を連結してなり、薄板の材質はプラスチックで、厚さ約３ミリである。下板４１と上板４２は互いに連結される。下板４１中間にCDを放置できる円形凹部４１１を有し、下板４１の周辺の適当な位置に三個の柱４１２、４１３、４１４が形成される。円形凹部４１１の深さは約２ミリで、柱４１２、４１３、４１４の高さは約1ミリである。上板４２は、一層の環状の除去可能な接着剤４２１を貼付し、CDラベルの環形と全く同じで、厚さは僅か０．１ミリである。上板４２の周辺の位置に三個の孔４２２、４２３、４２４を形成する。上板４２が下板４１を被覆する時、環状の除去可能な接着剤４２１が丁度円形凹部４１１に適合し、三個の孔４２２、４２３、４２４がそれぞれ三個の柱４１２、４１３、４１４に対応する。
【００１０】
本考案はCDラベル用紙５を提供し、図３で示される。CDラベル用紙５は方形で、上面に円形のCDラベル２を貼設し、CDラベル２右上角を翻開して接着面２２露出し、剥離も可能で、実質上平貼である。CDラベル用紙５の辺縁の適当な位置に三個のノッチ５１１、５１２、５１３を形成し、下板４１の柱４１２、４１３、４１４と適合する。
【００１１】
図４で示されるように、本考案のCDラベルアプリケーター４の下板４１と上板４２は水平で、CD３を下板４１の円形凹部４１１中に配置し、その後、CDラベル用紙５を下板４１上に置き（CDラベル２をCDラベル用紙５上面に貼る）、三個のノッチ５１１、５１２、５１３はそれぞれ、柱４１２、４１３、４１４と適合する。続いて、上板４２を翻して下板４１を被覆し、三個の孔４２２、４２３、４２４は丁度柱４１２、４１３、４１４に適合し、環状の除去可能な接着剤４２１がCDラベル２を粘着する。この後、上板４２を開き、CDラベル用紙５を起こし、CDラベル用紙５を剥離し、CDラベル２だけを上板４２上に貼付する。
【００１２】
その後、上板４２を翻して下板４１を被覆し、三個の孔４２２、４２３、４２４は丁度柱４１２、４１３、４１４に適合し、CDラベル２は自身の接着剤によりCD３上に貼付する。上板４２を開き、CDラベル用紙５を起こし、CDラベル用紙５を剥離する。環状の除去可能な接着剤４２１は粘着力が強くないので、CDラベル２は上板４２を脱離して、CD３上に残り、これにより、CDラベル２のCD３への貼付が完成する。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】公知のCDラベルアプリケーターを示す図である。
【図２】本考案のCDラベルアプリケーターを示す図である。
【図３】本考案のCDラベル用紙を示す図である。
【図４】本考案のCDラベルアプリケーターの下板と上板の平坦配置図である。
【符号の説明】
【００１５】
１    円形ケース
１１  押圧可能素子
１２  頂端部位
２    CDラベル
２１  ホール
２２  接着面
３    CD
３１  ホール
４  CDラベルアプリケーター
４１  下板
４１１  円形凹部
４１２、４１３、４１４  柱
４２  上板
４２１  環状の除去可能な接着剤
４２２、４２３、４２４  孔
５  CDラベルアプリケーター
５１１、５１２、５１３  ノッチ
【図１】
0003136572.tif 000003
【図２】
0003136572.tif 000004
【図３】
0003136572.tif 000005
【図４】
0003136572.tif 000006